(57)【要約】【課題】  台形歪みの補正作業を容易かつ短時間で行うことができるとともに、それを低コストで実現でき、かつ小型化も図りやすい台形歪み補正方法、及びプロジェクタを提供する。【解決手段】  長方形に、互いに異なる歪み率の台形歪みを生じさせた複数種の四角形（Ｋ１〜Ｋｎ）をスクリーンに投影し、投影した複数種の四角形の中から長方形に最も近い形状に見えるものを使用者に選択させる。しかる後、選択された四角形を元の長方形（又は正方形）に補正し得る補正比率を、それ以後における投影画像の台形歪みを補正するときの補正比率として設定する。使用者は、スクリーンに投影された複数種の四角形の中のいずれかを選択するだけで台形歪みの補正作業を行うことができる。【選択図】    図２
2005033686.tif 000002
【特許請求の範囲】
【請求項１】
画像をスクリーンに投影するプロジェクタにおいて、投影画像に生ずる台形歪みを補正する方法であって、
形状の認識が容易な所定の基本形状に、互いに異なる歪み率の歪みを生じさせた複数種の形状をスクリーンに投影する第１の工程と、
使用者に、投影した複数種の形状の中から前記基本形状に最も近い形状に見えるものを選択させる第２の工程と、
選択された形状を前記基本形状に補正し得る補正比率を、それ以後における投影画像の台形歪みを補正するときの補正比率として設定する第３の工程と
を含むことを特徴とする台形歪み補正方法。
【請求項２】
前記基本形状は、四つの内角がすべて直角である既定の四角形、又は円形であることを特徴とする請求項１記載の台形歪み補正方法。
【請求項３】
前記複数種の形状は、前記基本形状を、互いに異なる斜め方向からスクリーンに投影したときスクリーン上に形成される複数の形状であることを特徴とする請求項１又は２記載の台形歪み補正方法。
【請求項４】
前記第１の工程と前記第２の工程とを使用者の要求に応じて複数回繰り返すとともに、２回目以降に実施する前記第１の工程では、前回投影した複数種の形状よりも歪みの度合が少ない複数種の形状をスクリーンに投影し、
前記第３の工程では、最後に実施された第２の工程において選択された形状を前記基本形状に補正し得る補正比率を、それ以後における投影画像の台形歪みを補正するときの補正比率として設定する
ことを特徴とする請求項１，２又は３記載の台形歪み補正方法。
【請求項５】
２回目以降に実施する前記第１の工程では、前記第２の工程において選択された形状と同種の歪みを生じさせた複数種の形状をスクリーンに投影することを特徴とする請求項４記載の台形歪み補正方法。
【請求項６】
画像をスクリーンに投影するとともに、投影画像に生ずる台形歪みの補正機能を備えたプロジェクタにおいて、
形状の認識が容易な所定の基本形状に、互いに異なる歪み率の歪みを生じさせた複数種の形状をスクリーンに投影させる投影制御手段と、
使用者が、スクリーンに投影された複数種の形状の中からいずれかを選択するための選択手段と、
この選択手段により選択された形状を前記基本形状に補正し得る補正比率を、前記補正機能により台形歪みを補正するときの補正比率として設定する設定手段と
を備えたことを特徴とするプロジェクタ。
【請求項７】
前記複数種の形状、及び当該形状のそれぞれに対応する前記補正比率を記憶する記憶手段を備え、前記投影制御手段は、その記憶手段に記憶されている形状をスクリーンに投影させ、前記設定手段は、その記憶手段から、前記選択手段により選択された形状に対応する補正比率を読み出し、それを前記補正機能により台形歪みを補正するときの補正比率として設定することを特徴とする請求項６記載のプロジェクタ。
【請求項８】
前記複数種の形状、及び当該形状のそれぞれに対応する前記補正比率を生成する生成手段を備え、前記投影制御手段は、その生成手段により生成された形状をスクリーンに投影させ、前記設定手段は、その生成手段により生成された補正比率であって、前記選択手段により選択された形状に対応する補正比率を前記補正機能により台形歪みを補正するときの補正比率として設定することを特徴とする請求項６記載のプロジェクタ。
【請求項９】
画像をスクリーンに投影するとともに、投影画像に生ずる台形歪みの補正機能を備えたプロジェクタが有するコンピュータを、
形状の認識が容易な所定の基本形状に、互いに異なる歪み率の歪みを生じさせた複数種の形状をスクリーンに投影させる投影制御手段と、
スクリーンに投影された複数種の形状の中から使用者によって選択された形状を前記基本形状に補正し得る補正比率を、前記補正機能により台形歪みを補正するときの補正比率として設定する設定手段と
して機能させるためのプログラム。
【発明の詳細な説明】
【技術分野】
【０００１】
本発明は、プロジェクタにおける台形歪み補正方法と、プロジェクタに関するものである。
【背景技術】
【０００２】
従来、企画説明や商品説明等のプレゼンテーションや研究発表等の講演においては、例えばパソコンにより作成した説明画像をスクリーンに拡大して投影するプロジェクタが用いられている。
【０００３】
かかるプロジェクタには、スクリーンに正対していない使用時にスクリーンの正面から見た投影画像に生ずる台形歪みをなくす台形歪み補正（キーストーン補正）機能が設けられている。台形歪み補正は、投影画像に生ずる歪みの方向と逆方向に入力画像を歪ませて投影する機能であり、ユーザーが投影画像を見ながら、装置本体に設けられたスイッチや付属するリモコンユニットのスイッチを操作することにより、歪みの方向（縦方向と横方向）や、その補正量を調整することが可能となっている。しかし、かかる調整作業は煩雑であるとともに、それを慣れない者が行う場合には、適正な補正を完了するまでに時間がかかってしまう。
【０００４】
これを解決するものとしては、例えば下記の特許文献１に、プロジェクタに角度センサを設けるとともに、装置の角度を検知し、かつスクリーンの角度の情報をオフセット値として設定することにより、自動的に投影画像の水平、垂直方向の台形歪みを補正するものが記載されている。
【特許文献１】特開２００１−３３９６７号公報
【発明の開示】
【発明が解決しようとする課題】
【０００５】
しかしながら、上記のプロジェクタにおいては台形歪みの補正作業を自動的に行うことはできるが、角度センサや、検知した装置の角度等に基づいて水平及び垂直方向の補正量を演算するための構成が不可欠であることから、自動補正機能を設けることにより製品がコスト高となる。また、角度センサの配置によっては装置本体の外形寸法が大きくなるという問題があった。
【０００６】
本発明は、かかる従来の課題に鑑みてなされたものであり、台形歪みの補正作業を容易かつ短時間で行うことができるとともに、それを低コストで実現でき、かつ小型化も図りやすい台形歪み補正方法、及びプロジェクタを提供することを目的とする。
【課題を解決するための手段】
【０００７】
前記課題を解決するために請求項１の発明にあっては、画像をスクリーンに投影するプロジェクタにおいて、投影画像に生ずる台形歪みを補正する方法であって、形状の認識が容易な所定の基本形状に、互いに異なる歪み率の歪みを生じさせた複数種の形状をスクリーンに投影する第１の工程と、使用者に、投影した複数種の形状の中から前記基本形状に最も近い形状に見えるものを選択させる第２の工程と、選択された形状を前記基本形状に補正し得る補正比率を、それ以後における投影画像の台形歪みを補正するときの補正比率として設定する第３の工程とを含む方法とした。
【０００８】
かかる方法によれば、使用者はスクリーンに投影された複数種の形状のいずれかを選択するだけで、台形歪みを補正するときの補正比率を適正な値に調整することができる。また、台形歪みを補正するためだけの角度センサ等が不要となる。
【０００９】
また、請求項２の発明にあっては、前記基本形状は、四つの内角がすべて直角である既定の四角形、又は円形である方法とした。
【００１０】
かかる方法によれば、スクリーンに投影された複数種の形状の中から基本形状に最も近い形状を選択する作業が容易となる。
【００１１】
また、請求項３の発明にあっては、前記複数種の形状は、前記基本形状を、互いに異なる斜め方向からスクリーンに投影したときスクリーン上に形成される複数の形状である方法とした。
【００１２】
かかる方法によれば、使用者は、台形歪みを補正するときの、水平方向と垂直方向との補正比率を１回の作業で適正な値に調整することができる。
【００１３】
また、請求項４の発明にあっては、前記第１の工程と前記第２の工程とを使用者の要求に応じて複数回繰り返すとともに、２回目以降に実施する前記第１の工程では、前回投影した複数種の形状よりも歪みの度合が少ない複数種の形状をスクリーンに投影し、前記第３の工程では、最後に実施された第２の工程において選択された形状を前記基本形状に補正し得る補正比率を、それ以後における投影画像の台形歪みを補正するときの補正比率として設定する方法とした。
【００１４】
かかる方法によれば、使用者に、スクリーンに投影された形状を複数回選択させることにより、台形歪みを補正するときの補正比率を精度よく調整することができる。
【００１５】
また、請求項５の発明にあっては、２回目以降に実施する前記第１の工程では、前記第２の工程において選択された形状と同種の歪みを生じさせた複数種の形状をスクリーンに投影する方法とした。
【００１６】
かかる方法によれば、スクリーンに投影された形状の選択回数を減少させることができる。
【００１７】
また、請求項６の発明にあっては、画像をスクリーンに投影するとともに、投影画像に生ずる台形歪みの補正機能を備えたプロジェクタにおいて、形状の認識が容易な所定の基本形状に、互いに異なる歪み率の歪みを生じさせた複数種の形状をスクリーンに投影させる投影制御手段と、使用者が、スクリーンに投影された複数種の形状の中からいずれかを選択するための選択手段と、この選択手段により選択された形状を前記基本形状に補正し得る補正比率を、前記補正機能により台形歪みを補正するときの補正比率として設定する設定手段とを備えたものとした。
【００１８】
かかる構成においては、投影制御手段が複数種の形状をスクリーンに投影させたとき、使用者が選択手段によって、それらの中で基本形状に最も近い形状に見えるものを選択すると、補正機能により台形歪みを補正するときの補正比率として適正な補正比率を設定手段が自動的に設定する。
【００１９】
したがって、使用者はスクリーンに投影された複数種の形状のいずれかを選択するだけで、台形歪みを補正するときの補正比率を適正な値に調整することができる。また、台形歪みを補正するためだけの角度センサ等が不要となる。
【００２０】
また、請求項７の発明にあっては、前記複数種の形状、及び当該形状のそれぞれに対応する前記補正比率を記憶する記憶手段を備え、前記投影制御手段は、その記憶手段に記憶されている形状をスクリーンに投影させ、前記設定手段は、その記憶手段から、前記選択手段により選択された形状に対応する補正比率を読み出し、それを前記補正機能により台形歪みを補正するときの補正比率として設定するものとした。
【００２１】
かかる構成においては、予め記憶されている複数種の形状がスクリーンに投影され、かつ予め記憶されている補正比率が、補正機能により台形歪みを補正するときの補正比率として設定される。
【００２２】
また、請求項８の発明にあっては、前記複数種の形状、及び当該形状のそれぞれに対応する前記補正比率を生成する生成手段を備え、前記投影制御手段は、その生成手段により生成された形状をスクリーンに投影させ、前記設定手段は、その生成手段により生成された補正比率であって、前記選択手段により選択された形状に対応する補正比率を前記補正機能により台形歪みを補正するときの補正比率として設定するものとした。
【００２３】
かかる構成においては、必要に応じて生成された複数種の形状がスクリーンに投影され、かつ選択された形状に対応して生成された（又は生成されていた）補正比率が、補正機能により台形歪みを補正するときの補正比率として設定される。
【００２４】
また、請求項９の発明にあっては、画像をスクリーンに投影するとともに、投影画像に生ずる台形歪みの補正機能を備えたプロジェクタが有するコンピュータを、形状の認識が容易な所定の基本形状に、互いに異なる歪み率の歪みを生じさせた複数種の形状をスクリーンに投影させる投影制御手段と、スクリーンに投影された複数種の形状の中から使用者によって選択された形状を前記基本形状に補正し得る補正比率を、前記補正機能により台形歪みを補正するときの補正比率として設定する設定手段として機能させるためのプログラムとした。
【発明の効果】
【００２５】
以上のように、本発明においては、使用者がスクリーンに投影された複数種の形状のいずれかを選択するだけで、台形歪みを補正するときの補正比率を適正な値に調整することができ、同時に、台形歪みを補正するためだけの角度センサ等が不要となるようにした。よって、台形歪みの補正作業を容易かつ短時間で行うことが可能となり、しかもそれを低コストで実現でき、かつ小型化も図りやすくなるという効果が得られる。
【００２６】
また、使用者が、台形歪みを補正するとき、水平方向と垂直方向との補正比率を１回の作業で適正な値に調整することができ、台形歪みの補正作業をより一層容易かつ短時間で行うことが可能となる。
【００２７】
また、使用者に、スクリーンに投影された形状を複数回選択させることにより、台形歪みを補正するときの補正比率を精度よく調整することができ、さらには、その場合における形状の選択回数を減少させることもできる。
【００２８】
また、本発明のプログラムにおいては、それを用いることにより既存のプロジェクタにおいても本発明の実施が可能となる。
【発明を実施するための最良の形態】
【００２９】
以下、本発明の一実施の形態を図にしたがって説明する。図１は、本実施の形態におけるプロジェクタ１の使用形態を示した図であって、本実施の形態のプロジェクタ１はパーソナルコンピュータ１００からＲＧＢケーブル１０１から送られる影像信号に基づく投影画像ＧをスクリーンＳに表示させる構成を備えている。また、プロジェクタ１の本体には、後述する台形歪み補正の補正量調整に際して使用される画面調整キー１１ａ、確定キー１１ｂ、方向キー１１ｃ、ＯＫ／継続キー１１ｄが設けられている。
【００３０】
図２は、プロジェクタ１の基本構成を示すブロック図であって、プロジェクタ１において、ＲＧＢケーブル１０１が接続された映像入力端子２から入力された映像信号（ＲＧＢ信号等）は、アナログデジタル変換回路３でデジタル信号に変換される。変換後の映像データは、信号処理回路４において、制御回路９で生成されたクロック信号や制御信号に基づき、フレームメモリ５を用いて縮小や拡大等の処理を施され、さらに台形補正回路６により制御回路９の指令に基づき所定の台形補正処理を施された後、駆動回路７に供給される。駆動回路７では、送られた映像データに基づく駆動信号が生成され、その駆動信号によって表示ディバイス８（例えば液晶やマイクロミラーアレイ）が駆動されることにより、映像入力端子２から入力した映像信号がスクリーンに投射される投影光に最終的に変換される。
【００３１】
制御回路９はＣＰＵや内部メモリ等により構成され、ＲＯＭ１０に格納されているプログラムに従って、また前記画面調整キー１１ａ等の複数の操作キーを含むキー入力回路１１からキー操作に伴い送られてくる操作信号に応じて動作することにより前述した各部の動作を制御する。そして、制御回路９は、ユーザーの要求に応じ前記プログラムに基づき後述する補正率設定処理を実行することにより本発明の投影制御手段、設定手段として機能する。なお、本実施の形態においては、前記キー入力回路１１が本発明の選択手段である。また、ＲＯＭ１０は本発明の記憶手段であり、ＲＯＭ１０には前記プログラムと共に以下のデータが記憶されている。
【００３２】
すなわち図３はＲＯＭ１０に格納されているデータを示す模式図であって、ＲＯＭ１０には、同図（ａ）に示したような複数種の四角形Ｋ１〜Ｋｎが並んだ調整用画像ＧＫのデータ（以下、調整用画像データという。）と、同図（ｂ）に示したように、各四角形Ｋ１〜Ｋｎに対応してそれぞれ決められている水平方向の補正比率Ｈ１〜Ｈｎと垂直方向の補正比率Ｖ１〜Ｖｎからなる補正比率テーブルＴを構成するデータ（以下、テーブルデータという。）とが格納されている。調整用画像ＧＫにおける四角形Ｋ１〜Ｋｎは、アスペクト比が「４：３」の基準となる所定の大きさの長方形（基本形状）を、歪み率をそれぞれ変えて水平及び垂直方向に歪ませたものであり、かつ水平方向の歪み率と垂直方向の歪み率との組合せがそれぞれ異なっている。
【００３３】
また、比率テーブルＴにおける水平及び垂直方向の補正比率Ｈ１〜Ｈｎ，Ｖ１〜Ｖｎは、各々の四角形Ｋ１〜Ｋｎの形状を元の長方形に戻すのに必要な補正比率であり、例えば図４に示したように、四角形Ｋｎにおいて、上辺（ＡＢ）側における水平方向の長さをＸ１（ピクセル数であり、他の長さも同様である）、下辺（ＤＣ）側のそれをＸ２、左辺（ＡＤ）側における垂直方向の長さをＹ１、右辺（ＢＣ）側のそれをＹ２とし、上辺（ＡＢ）側と下辺（ＡＢ）側の長さの比率をＸ１／Ｘ２、左辺（ＡＤ）側と右辺（ＢＣ）側の長さの比率をＹ１／Ｙ２としたとき、水平方向の補正比率ＨｎがＸ２／Ｘ１に、垂直方向の補正比率ＶｎがＹ２／Ｙ１に設定されている。これは、スクリーンに投影した四角形Ｋｎをスクリーンに正対した位置から見たとき、それが正確な長方形に見える場合には、上記補正比率Ｈｎ，Ｖｎで台形歪み補正を行えば、四角形Ｋｎが本来の形状に見えようになることを意味する。
【００３４】
さらに、ＲＯＭ１０には、前述した四角形Ｋ１〜Ｋｎの各々に対応する複数種の四角形が並んだ下位の調整用画像データ及びテーブルデータが格納されている。それらのデータは、図示しないが、各々が対応する四角形Ｋ１〜Ｋｎよりも、前述した水平方向の補正比率Ｈ及び垂直方向の補正比率Ｖが１：１に近い（基準となる所定の大きさの長方形に近い）四角形のデータである。また、下位の調整用画像データ及びテーブルデータは、それぞが対応する四角形Ｋ１〜Ｋｎと同種の台形歪みを生じた四角形に関するデータであって、例えば四角形Ｋ１は左方向から打ち上げ投影したとき生ずる台形歪みであり、四角形Ｋ１に対応する下位の調整用画像データ及びテーブルデータも左方向からの打ち上げ投影により台形歪みが生じた形状の四角形に関するものである。なお、係る下位の調整用画像データ及びテーブルデータにおいても、それに含まれる四角形においては水平方向と垂直方向の双方の歪み率（補正率）の組合せがそれぞれ異なっている。
【００３５】
次に、以上の構成からなるプロジェクタ１の使用に際して、ユーザーが台形歪み補正の補正量を調整するときの作業手順と、それに対応するプロジェクタの動作について説明する。図５は、そのときの制御回路９が実行する補正率設定処理の手順を示すフローチャート、図６及び図７はスクリーンＳにおける投影画像Ｇの状態を示す図である。以下、プロジェクタ１がスクリーンＳに正対していない状態（図１に示したような状態）にセットされているものとして説明する。
【００３６】
ユーザーは、上記の調整を行うとき、プロジェクタ１の電源を入れ、スクリーンＳに画面が映し出されたら（図６（ａ））、まず画面調整キー１１ａを押す。するとプロジェクタ１では、図５に示したように、画面調整キー１１ａの操作に応じ（ステップＳ１でＹＥＳ）、ＲＯＭ１０から調整用画像ＧＫのデータを読み出し、それをスクリーンＳに投影して、複数種の四角形Ｋ１〜ＫｎをスクリーンＳ上に浮かび上がらせる（ステップＳ２：図６（ｂ））。ここでキー操作待ちの状態となり（ステップＳ３，Ｓ６がＮＯ）、ユーザーに、複数種の四角形Ｋ１〜Ｋｎの中で一番形のよいもの、つまり正確な長方形にもっと近いと思われるもの選択させる。なお、図６は、投影画像Ｇや複数種の四角形Ｋ１〜Ｋｎを便宜的に示したものであり、それらの形状は実際とは異なる。
【００３７】
そして、方向キー１１ｃが操作される毎に（ステップＳ３でＹＥＳ）、調整用画像ＧＫに重ねて表示したカーソルＣを、方向キーの操作に応じた方向に移動し（ステップＳ４）、これによりユーザーによる選択作業を可能とする（図６（ｃ））。なお、カーソルＣの表示は、画面調整キー１１ａの操作があった後に初めて方向キー１１ｃが操作された時点で行い、かつ方向キー１１ｃの１回の操作に伴うカーソルＣの移動量は、元の調整用画像ＧＫにおける各四角形Ｋ１〜Ｋｎの縦又は横の配置間隔に応じた移動量とする。また、その間には、カーソルＣがどの四角形に位置しているか、つまりどの四角形が選択されているのかを、カーソルＣを移動する毎に移動方向によって逐次確認し、それを制御回路６の内部メモリ等に記憶する（ステップＳ５）。
【００３８】
やがて、任意の四角形が選択された状態でユーザーによって確定キー１１ｂが押されたら（ステップＳ６でＹＥＳ）、選択されている四角形に対応する水平及び垂直方向の補正比率をＲＯＭ１０から読み出し、それを台形補正回路６による台形補正処理で使用する補正比率として設定し、同時に、調整用画像ＧＫの投影を終了する（ステップＳ７）。つまり、スクリーンＳに映し出されていた投影画像Ｇにおける各四角形Ｋ１〜Ｋｎの形状が元の形状とほぼ同様の形状に見えるようにするための補正比率を設定する。これにより、台形歪みの補正量がほぼ適正に調整されることとなる。
【００３９】
引き続き、プロジェクタ１は、ＯＫ／継続キー１１ｄによる調整作業の継続、又は調整ＯＫの選択待ちの状態となる（ステップＳ８でＮＯ）。ここでユーザーが、スクリーンＳに映し出されている投影画像Ｇを観て、補正が十分でないと感じて継続キーを選択した場合には（ステップＳ８で「継続」）、引き続き、図７（ａ）に示すように、先に選択されていた四角形に対応する下位の調整用画像をスクリーンＳに投影して、新たな複数種の四角形、すなわち、前述した基準となる長方形により近い複数種の四角形をスクリーンＳ上に浮かび上がらせる（ステップＳ９）。
【００４０】
しかる後、前述したステップＳ３〜Ｓ６を繰り返すことにより、再びユーザーに、方向キー１１ｃの操作に応答して移動するカーソルＣによって、投影されている複数種の四角形の中から正確な長方形にもっと近いと思われるもの選択させる（図７（ｂ））。そして、確定キーが押されたら最終的に選択されている四角形に対応する水平及び垂直方向の補正比率をＲＯＭ１０から読み出し、それを台形補正回路６による台形補正処理で使用する補正比率として再設定するとともに、下位の調整用画像の投影を終了する（ステップＳ７）。これにより、台形歪みの補正量がより一層適正に調整されることとなる。
【００４１】
そして、ステップＳ８でＯＫが選択されたら、その時点で上記補正比率を確定し、例えば制御回路６の内部メモリ等に記憶し（ステップＳ１０）、調整処理を終了する。したがって、それ以後は、スクリーンＳに投影する画像が上記補正比率に基づき継続して補正されることとなる。
【００４２】
以上のように、本実施の形態のプロジェクタ１においては、台形歪みの補正量の調整を簡単なキー操作だけで行ことができるため、ユーザーは、その調整作業を容易かつ短時間で行うことが可能である。また、従来技術で説明したような角度センサ、及びその検知結果に基づき補正量を演算するための構成が不要であることから、低コストで実施することができるとともに、製品の小型化が容易である。
【００４３】
また、水平方向の補正比率と垂直方向の補正比率とを同時に調整できるため、それによっても調整作業を容易かつ短時間で行うことができる。なお、本実施の形態とは異なり、必要に応じて、水平方向の補正比率と垂直方向の補正比率とを別々に調整可能な構成としてもよい。
【００４４】
また、ユーザーに、スクリーンに投影された四角形を必要に応じて複数回選択させるとともに、２回目の選択候補となる四角形を、所定の大きさの長方形に対する台形歪みの度合が、１回目のものよりも少ないものとしたことから、補正比率を精度よく調整することができる。
【００４５】
なお、本実施の形態においては、補正率設定処理で水平方向及び垂直方向の補正比率を２段階に調整可能としたものについて説明したが、それを１段階（１回の選択操作）で調整する構成としたり、３段階以上の調整が可能な構成としてもよい。当然、調整の段階数が多いほど正確な調整を行うことが可能となる。また、その場合には、本実施の形態のように、２回目以降の選択候補となる四角形を、１回目に選択された四角形と同種の台形歪みを有するものとすれば、ユーザーによる四角形の選択回数を減少させることができる。
【００４６】
さらには、スクリーンＳに対する投射方向の種類、つまり水平方向と垂直方向との組合せからなる４種類（右側から打ち上げ投射、左側から打ち上げ投射、右側から打ち下し投射、左側から打ち下し投射）のいずれかをユーザーに事前に指定させ、作業当初から、指定された投射方向に適した種類の四角形だけを投影させ、かつユーザーに選択させるようにしてもよい。
【００４７】
また、本実施の形態においては、前述したようにスクリーンＳに投影する複数種の四角形（Ｋ１〜Ｋｎ等）を１枚の調整用画像ＧＫ、及び下位の調整用画像として、つまり１画像データとしてＲＯＭ１０に記憶しておくものを説明したが、これに限らず、例えば各々の四角形の画像を個別に記憶させておき、前述したステップＳ２では、それらを並べて投影する構成としてもよい。また、個々の四角形を画像データとしてではなく描画用のデータとして記憶しておき、投影時点で、それらのデータに基づき調整用画像ＧＫ及び下位の調整用画像をフレームメモリ５内に生成する構成としてもよい。
【００４８】
さらに、上述した四角形（Ｋ１〜Ｋｎ等）の画像データや描画用のデータ、及びそれらに対応する補正比率を事前に用意しておくのではなく、前述した補正率設定処理の中で作成するようにしてもよく、その場合には、作成する四角形の種類をランダムなものとしたり、或いは所定の基準に従って決めたりしてもよい。また、その場合、複数種の四角形に対応する補正比率は、それらと同時に作成しておいてもよいし、それらをスクリーン投影した後、ユーザーによって選択された時点で、選択された四角形に対応する補正比率だけを作成（計算）するようにしてもよい。
【００４９】
また、投影用に用意しておく四角形の種類、すなわち調整可能な補正比率の種類は、それが多いほど正確な調整を行うことができるが、その数が多く、投影時の大きさ等の制限から一度に投影できない場合には（あまり小さいと、ユーザーが歪み度合を認識できなくなる）、それらを複数回に分けて投影させるようにしてもよい。
【００５０】
また、本実施の形態では、ユーザーが台形歪み補正の補正量を調整するときスクリーンＳに投影させる調整用画像ＧＫとして、アスペクト比が「４：３」の基準となる所定の大きさの長方形を、歪み率をそれぞれ変えて水平及び垂直方向に歪ませた複数種の四角形Ｋ１〜Ｋｎが並んだものを用いる場合について説明したが、これ以外にも、以下のような調整用画像を用いることもできる。例えば基本形状が正方形や、円形等のように形状の認識が容易な他の形状であって、それらの基本形状を、歪み率をそれぞれ変えて互いに異なる方向に歪みを生じさせた複数種の形状（基本形状が正方形の場合には形が異なる複数種の四角形であり、基本形状が円形の場合には長径と短径との長さの比率や、向きが異なる複数種の楕円形である。）が並んだ調整用画像を用いることもできる。
【００５１】
その場合においても、それらの調整用画像をを投影したとき、基本形状（正方形や円形等）に最も近い形状のもの（四角形や楕円形等）をユーザーに選択させ、選択されたものに対応する補正比率（基本形状に戻すための補正比率）を、台形補正処理で使用する補正比率として設定すればよい。
【００５２】
また、本実施の形態では、上記基本形状となる図形を黒塗りの長方形としたが、それを白抜きの長方形としてもよい。さらに、白抜きの長方形を所定方向の複数本の斜め線や、互いに直交する複数本の直線からなる格子等の所定の模様で塗りつぶしたものや、白抜きの長方形の中に、１又は複数の長方形、正方形、円形等の他の形状が描かれたものとしてもよい、その場合には、スクリーンＳに投影された複数種の四角形（Ｋ１〜Ｋｎ等）の中から長方形に最も近く見えるものをユーザーが選択する際の作業が容易となる。なお、これについては、基本形状（外形形状）を前述したように長方形以外の正方形や円形等にする場合においても同様である。
【００５３】
また、本発明は、従来のように補正比率の調整をユーザーが手動で行う構成を備えたプロジェクタにおいても、それがコンピュータによる制御を行っているものであれば、プログラムの追加又は変更によって、容易かつ低コストで実現させることができる。
【図面の簡単な説明】
【００５４】
【図１】本発明の一実施の形態を示すプロジェクタの使用形態を示した図である。
【図２】同プロジェクタの基本構成を示すブロック図である。
【図３】ＲＯＭの格納データを示す模式図である。
【図４】調整用画像における四角形が有する水平及び垂直方向の歪み率を示す図である。
【図５】制御回路による補正率設定処理の手順を示すフローチャートである。
【図６】台形歪み補正を実施するときのスクリーンにおける投影画像の状態を示す図である。
【図７】台形歪み補正を実施するときのスクリーンにおける他の投影画像の状態を示す図である。
【符号の説明】
【００５５】
１    プロジェクタ
４    信号処理回路
５    フレームメモリ
６    台形補正回路
８    表示ディバイス
９    制御回路
１０    ＲＯＭ
１１    キー入力回路
Ｇ    投影画像
ＧＫ    調整用画像
Ｓ    スクリーン
Ｔ    補正比率テーブルＴ
Ｈｎ    水平方向の補正比率
Ｖｎ    垂直方向の補正比率
【図１】
2005033686.tif 000003
【図２】
2005033686.tif 000004
【図３】
2005033686.tif 000005
【図４】
2005033686.tif 000006
【図５】
2005033686.tif 000007
【図６】
2005033686.tif 000008
【図７】
2005033686.tif 000009